(57)【要約】【課題】帯前結びにおける着崩れを防止した上で、帯を締める行程の削減、暑苦しさや窮屈感の抑制、そして、帯を締めた時におけるしわ発生の抑制。【解決手段】帯表１１と帯裏１２の間に、可撓性を有する２枚の芯板２，３を内蔵するとともに、着物４に対して滑りやすい布地５を、帯を締めた時において帯表１１の胴部４１に接する部位に、胴部４１周囲の略全周に巻き付けられるように縫着する。【選択図】図１
2004162237.tif 000002
【特許請求の範囲】
【請求項１】
前結びに用いられる袋帯であって、
帯表と帯裏の間に、可撓性を有する２枚の芯板を内蔵するとともに、着物に対して滑りやすい布地を、帯を締める時において帯表の胴部に接する部位に、胴部周囲に巻き付けられるように縫着してなり、
２枚の芯板は、帯を締める時において折り部を境にして、袋帯の胴部側と外側に位置するように振り分けられるとともに、両芯板が胴部周囲に巻き付けられるようにされていることを特徴とする袋帯。
【請求項２】
２枚の芯板は、帯を締める時において芯板の対向側端部が互いに着用者の脇部で重合するように備えられ、逆側端部が互いに着用者の脇部で胴部周長に応じて重合可能となるように備えられていることを特徴とする請求項１に記載の袋帯。
【請求項３】
前結びに用いられる袋帯であって、
帯表と帯裏の間に、可撓性を有する芯板を内蔵するとともに、着物に対して滑りやすい布地を、帯を締める時において帯表の胴部に接する部位に、胴部周囲に巻き付けられるように縫着してなり、
芯板は、帯を締める時において折り部を境にして、袋帯の胴部側に位置するとともに、芯板が胴部周囲に巻き付けられるようにされていることを特徴とする袋帯。
【請求項４】
芯板は、帯を締める時において
芯板の両端部が着用者の脇部で胴部周長に応じて重合可能となるように備えられていることを特徴とする請求項３に記載の袋帯。
【発明の詳細な説明】
【０００１】
【発明の属する技術分野】
本考案は、着物用の袋帯に関し、詳しくは、帯前結びに好適な袋帯に関する。
【０００２】
【従来の技術】
従来、帯前結びを行う際の着物の着崩れ防止について、例えば、芯板を上前端寄りに内蔵し、胴部前側で止め具により打合せ可能とした帯板を用いることが提案されている。（特許文献１参照。）
【０００３】
【特許文献１】
登録実用新案3066055号公報（〔００１０〕〜〔００１６〕、〔図1〕，〔図２〕，〔図６〕）
【０００４】
【発明が解決しようとする課題】
しかしながら、例示した帯板を用いた場合には、帯前結びにおける着崩れは防止できるものの、この帯板のために帯を締める行程が増える上に、暑苦しさや窮屈感を着用者に与えていた。
また、暑苦しさや窮屈感については、補正締めを行う場合についても生じるものであり、帯結びおよび前記した帯板と補正締めによる暑苦しさや窮屈感は相当なものである。
さらに、帯の素材にもよるものの、柔らかい生地からなる帯ではしわが寄りやすく、しわを取って形を整えるのが面倒なものである。
【０００５】
そこで、本発明は、帯前結びにおける着崩れを防止した上で、帯を締める行程の削減、暑苦しさや窮屈感の抑制、そして、帯を締める時におけるしわ発生の抑制を課題とし、この課題を解決する袋帯の提供を目的とする。
【０００６】
【課題を解決するための手段】
上記目的を達成するために本発明は下記の技術的手段を採用する。
その技術的手段は、図示するように、前結びに用いられる袋帯１であって、帯表１１と帯裏１２の間に、可撓性を有する２枚の芯板２，３を内蔵するとともに、着物４に対して滑りやすい布地５を、帯を締める時において帯表１１の胴部４１に接する部位に、胴部４１周囲の略全周に巻き付けられるように縫着してなり、２枚の芯板２，３は、帯を締める時において折り部１３を境にして、袋帯１の胴部側６と外側７に位置するように振り分けられるとともに、両芯板が胴部４１周囲の略全周に巻き付けられるようにされていることを特徴とする袋帯１にしたことである。（請求項１）
【０００７】
【発明の実施の形態】
本発明における芯板２，３は、袋帯１の型崩れを防止可能な支持強度を有しながら、帯を締める時において抵抗無く胴部４１に巻き付けられる程度の可撓性を有する周知の板状素材の全てを用いることができる。（例えば、ポリカーボネート）
本発明における布地５は、前結びした袋帯１を後ろに回す際に、着物４の着崩れが生じないようにスムースに回すことが可能な滑り機能を有する布地の全てを用いることができる。（例えば、サテン、各産地の帯の布地、滑る効果の有る布地等）
【０００８】
暑苦しさや窮屈感が生じるの一つの要因である補正締めを不要とする手段として、本発明は、図示するように２枚の芯板２，３を、帯を締める時において芯板２，３の対向側端部２１，３１が着用者の脇部４２で互いに重合し、逆側端部２２，３２が着用者の脇部４３で互いに胴部周長に応じて重合可能となるように備えた。（請求項２）
つまり、２枚の芯板２，３の両端部が着用者の両脇で重合することで、その重合部分が脇部４２，４３のくぼみを埋めて袋帯１と着物４に連続する体の線を補正する。
【０００９】
請求項１の発明によれば、袋帯１に内蔵された２枚の芯板２，３が袋帯１を内側から支持するので、帯板を用いることなく袋帯１の型崩れを防止することができる。
また、帯を締める時において着物４に対して滑りやすい布地５が着物４の胴部４１に接しているので、袋帯１をスムースに回すことができ、これにより着物４の着崩れや傷付を防止することができる。
そして、帯板が不要であるので袋帯１のみで帯前結びができる上に、帯板による暑苦しさや窮屈感の抑制ができる。
さらに、前記芯板２，３は、着用者の胴部４１の略全周に巻き付けられるので、柔らかい生地を用いた袋帯１においても帯を締める時にしわが生じない。
請求項２の発明によれば、２枚の芯板２，３の両端部の重合部分で着用者の体の線を補正するので、これを行う補正締めや伊達締めが不要である。
【００１０】
前記した請求項１および請求項２の発明は、内蔵する芯板が２枚である構成のものであるが、前記作用効果を有する構成としては以下のものがある。
その構成は、前結びに用いられる袋帯１であって、帯表１１と帯裏１２の間に、可撓性を有する芯板２Ａを内蔵するとともに、着物に対して滑りやすい布地５を、帯を締める時において帯表１１の胴部に接する部位に、胴部周囲に巻き付けられるように縫着してなり、芯板２Ａは、帯を締める時において折り部１３を境にして、袋帯１の胴部６側に位置するとともに、芯板２Ａが胴部周囲に巻き付けられるようにされている袋帯１である（請求項３）。
そして、芯板２Ａは、帯を締める時において、芯板２Ａの両端部が着用者の脇部で胴部周長に応じて重合可能となるように備えられている袋帯１である（請求項４）。
【００１１】
請求項３の発明によれば、袋帯１に内蔵された芯板２Ａが袋帯１を内側から支持するので、請求項１と同様に、帯板を用いることなく袋帯１の型崩れを防止することができる。
また、請求項１と同様に、帯を締める時において着物４に対して滑りやすい布地５が着物の胴部に接しているので、袋帯１をスムースに回すことができ、これにより着物の着崩れや傷付を防止することができる。
そして、帯板が不要であるので袋帯１のみで帯前結びができる上に、帯板による暑苦しさや窮屈感の抑制ができる。
さらに、前記芯板２Ａは、着用者の胴部の略全周に巻き付けられるので、請求項１と同様に、柔らかい生地を用いた袋帯１においても帯を締める時にしわが生じない。
請求項４の発明によれば、芯板２Ａ両端部の重合部分で着用者の体の線を補正するので、請求項２と同様に、これを行う補正締めや伊達締めが不要である。
【００１２】
請求項３における芯板２Ａの素材は、前記請求項１に記載の芯板２，３と同様の素材を用いることができる。
請求項４における布地５の素材は、前記請求項２に記載の布地５と同様の素材を用いることができる。
【００１３】
【実施例】
以下、本発明の最適な実施例を図面に基づいて詳細に説明する。
図１及び図２は本発明の袋帯１を示し、図１は展開図、図２は半折り状態図である。
【００１４】
袋帯１は、帯表１１と帯裏１２の間に、可撓性を有する２枚の芯板２，３を内蔵するとともに、着物４に対して滑りやすい布地５を、帯を締める時において帯表１１の胴部４１に接する部位に、胴部４１周囲の略全周に巻き付けられるように縫着してなる。
【００１５】
２枚の芯板２，３は、帯を締める時において折り部１３を境にして、芯板２が袋帯１の胴部側６に、芯板３が外側７に位置するように振り分けられるように配置してある。
両芯板の長さは、袋帯１の帯を締めた状態において、胴部４１周囲の略全周に巻き付け可能な長さである。
具体的には、２枚の芯板２，３は、帯を締める時において芯板２，３の対向側端部２１，３１が着用者の脇部４２で互いに重合し、逆側端部２２，３２が着用者の脇部４３で互いに胴部周長に応じて重合可能となる長さである。
【００１６】
芯板２は布地５の裏側に縫着してあり、布地５を帯表１１に逢着したときに、図面上布地５の左寄りに位置するとともに、後中心Ｃ１を境に左右同長になる位置に有る。
芯板３は帯裏１２の裏側に逢着してあり、前中心Ｃ２を境に左右同長になる位置に有る。
符号２３，３３は芯板２，３に開孔された小径孔であり、この小径孔２３，３３によって通気性を確保している。
【００１７】
布地５は、サテン布地等を着用者の胴長に略対応する長さ、かつ袋帯１の約半分の幅に裁断形成したものである。
このように形成した布地５は、帯表１１に切欠形成された布地５の形状に対応する切欠部１４に適合させ、布地５周りの帯表１１と帯裏１２に縫着してある。
つまり、布地５は、帯を締める時に後ろに回す際の滑り機能の確保に加えて、帯表１１の一部を構成するものである。
なお、前記布地５の長さは、着用者の胴長に対応させて長短選択して決定する。
また、本発明では、前記切欠部１４を有することに限定されるものではなく、帯表１１を切欠せず、帯表１１に直接逢着する構成も包含する。
【００１８】
次に、このように構成した袋帯１の帯の締め方を説明する。
先ず、袋帯１を布地５側の帯表１１が胴部側６に、布地５とは反対側の帯表１１が外側７に向くように折り部１３で半折りにする。（図２参照）
この半折りの状態を保持したまま、布地５の略中心部を着用者の腰に沿わせて（図３）、たれ側を芯板２が胴部４１の前に位置するように巻付ける（図４参照）。
このとき、芯板２が着用者の前側に位置し、布地５が着用者の胴部４１周囲の全周に巻き付けられた状態となる。
そして、袋帯１の手先側を上側に向けて、たれ側をさらに一周巻き（図５参照）、前側で手先側とたれ側とで帯結びをし、これを後ろに回すことで完成する（図６参照）。
このとき、芯板３が前側に、芯板２が後側に位置し、両芯板の対向側端部２１，３１と逆側端部２２，３２が着用者の脇部４２，４３において重合することで、帯の補正が行われる（図７）。
【００１９】
次に、本発明の他の実施例を図８および図９に基づいて説明する。
なお、本実施例では、前記の実施例の構成と同一の部位についての説明は、同符号を付けることによって省略する。
また、本実施例では芯板２Ａにおける小径孔には符号２１Ａを付ける。
【００２０】
本実施例における芯板２Ａは、一枚物であり、帯を締める時において折り部１３を境にして、袋帯１の胴部６側に位置するように配設してある。
芯板２Ａの長さは、袋帯１の帯を締めた状態において、胴部周囲の略全周に巻き付け可能な長さであり、その両端部が着用者の脇部で胴部周長に応じて重合可能となる長さである。
芯板２Ａの長さとしては、例えばサイズごとに各種の長さのものを使用する方法も有るが、芯板２Ａの長さをフリーサイズ対応となるように、長めのものを使用する方法が最適である。
この場合、芯板２Ａの形状を、図８に示すように、略下向き台形を呈し、両端部に至るに従い幅狭となるように形成する。
これによって、芯板２Ａの両端部の重合量が多くなるウエストの細い着用者が着用しても、帯を締める際に何ら支障はない上に、一つのサイズで対応することができるので、コストの削減という点についても有効なものである。
【００２１】
なお、本発明では前記した実施例に限定されるものではなく、特許請求の範囲に記載の各請求項の内容から逸脱しない範囲において変更が可能である。
【００２２】
【発明の効果】
本発明は以上説明したとおり下記の優れた効果を有する。
請求項１および請求項３の発明により、帯前結びにおける帯の型崩れおよび着物の着崩れを防止した上で、帯を締める行程の削減、暑苦しさや窮屈感の抑制、そして、帯を締める時におけるしわ発生の抑制を達成することができる。
請求項２および請求項４の発明により、帯板も補正締めもすることなく、着物の上に直接袋帯を締めても、きれいな着用状態にすることができるので、さらなる帯を締める行程の削減および暑苦しさや窮屈感の抑制ができる。
【図面の簡単な説明】
【図１】本発明に係る袋帯の展開図。
【図２】同、半折り状態図。
【図３】帯を締める行程図。
【図４】帯を締める行程図。
【図５】帯を締める行程図。
【図６】帯を締めた完成図。
【図７】図５の側面図。
【図８】本発明に係る袋帯の他の実施例の展開図。
【図９】同、半折り状態図。
【符号の説明】
１：袋帯            １１：帯表
１２：帯裏              ２：芯板
２１：対向側端部      ２２：逆側端部
３：芯板            ３１：対向側端部
３２：逆側端部          ４：着物
４１：胴部            ４２：脇部
４３：脇部              ５：布地
６：胴部側            ７：外側
２Ａ：芯板
【図１】
2004162237.tif 000003
【図２】
2004162237.tif 000004
【図３】
2004162237.tif 000005
【図４】
2004162237.tif 000006
【図５】
2004162237.tif 000007
【図６】
2004162237.tif 000008
【図７】
2004162237.tif 000009
【図８】
2004162237.tif 000010
【図９】
2004162237.tif 000011